(57)【要約】【課題】飲食店の日替わりメニューを遠隔地にいる不特定多数の人に伝え、複数飲食店の日替わりメニューの検索を可能にし、かつ日替わりメニューの情報とともに店舗情報、宣伝広告、通常メニュー情報も提供できるシステムを提供する。【解決手段】インターネット上のサーバーに複数店舗の日替わりメニュー情報を一括して記憶し、  パソコン・携帯電話のＷｅｂ機能を用いインターネットを通じてサーバー上のＣＧＩプログラムを実行して、一括記憶されている日替わりメニューの情報を処理する。飲食店に対しては日替わりメニューを登録・編集できる機能を提供し、一般の人には検索できる機能を提供する。また、日替わりメニューとともに店舗情報、宣伝広告、通常メニューもそれぞれ一括して記憶しそれぞれに店舗コードを付加することによって、店舗ごとに情報を扱い日替わりメニュー情報とともに提供できるようにする。【選択図】        図１
2004265294.tif 000002
【特許請求の範囲】
【請求項１】
飲食店における日替わりメニュー（日替わりランチ、日替わり定食、サービスメニュー、サービスランチ、サービス定食、ランチメニューなど以下日替わりメニューで統一）の情報を複数飲食店から集め不特定多数の人に検索閲覧によって提供できるできるシステムであって、飲食店側からは携帯電話やパソコンなどＷｅｂ機能を有する情報端末を用いてＷｅｂページ上からサーバーのＣＧＩプログラムを呼び出し一箇所に記憶された日替わりメニューの情報を登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニューの情報を検索閲覧できることを特徴とするインターネットシステム。
【請求項２】
飲食店における日替わりメニューの情報を複数飲食店から集め不特定多数の人に検索閲覧によって提供できるできるシステムであって、飲食店側からは携帯電話やパソコンなどＷｅｂ機能を有する情報端末を用いてＷｅｂページ上からサーバーのＣＧＩプログラムを呼び出し一箇所に記憶された日替わりメニューの情報を、認証プログラムを用いて店舗ごとに区別して登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニューの情報を検索閲覧でき、また以上のシステムに加えて携帯電話やパソコンなどＷｅｂ機能を有する情報端末を用いてＷｅｂページ上からサーバーのＣＧＩプログラムを呼び出しサーバーの記憶領域に店舗情報を登録・編集・削除でき、不特定多数の人に日替わりメニューの情報とともに店舗情報も検索閲覧できる機能を有することを特徴とするインターネットシステム。
【請求項３】
飲食店における日替わりメニューの情報を複数飲食店から集め不特定多数の人に検索閲覧によって提供できるできるシステムであって、飲食店側からは携帯電話やパソコンなどＷｅｂ機能を有する情報端末を用いてＷｅｂページ上からサーバーのＣＧＩプログラムを呼び出し一箇所に記憶された日替わりメニューの情報を、認証プログラムを用いて店舗ごとに区別して登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニューの情報を検索閲覧でき、また以上のシステムに加えて携帯電話やパソコンなどＷｅｂ機能を有する情報端末を用いてＷｅｂページ上からサーバーのＣＧＩプログラムを呼び出しサーバーの記憶領域に店舗情報を登録・編集・削除でき、不特定多数の人に日替わりメニューの情報とともに店舗情報も提供／検索閲覧でき、かつ以上のシステムに加えて複数飲食店の宣伝広告をサーバー上の一テーブルに集めて記憶しこの宣伝広告に対して携帯電話やパソコンなどＷｅｂ機能を有する情報端末を用いてＷｅｂページ上からサーバーのＣＧＩプログラムを呼び出し登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニューを検索閲覧するとともにこのお店の宣伝広告も表示できる機能を有することを特徴とするインターネットシステム。
【請求項４】
飲食店における日替わりメニュー／通常メニューの情報を複数飲食店から集め不特定多数の人に検索閲覧によって提供できるできるシステムであって、飲食店側からは携帯電話やパソコンなどＷｅｂ機能を有する情報端末を用いてＷｅｂページ上からサーバーのＣＧＩプログラムを呼び出し日替わりメニューと通常メニューが識別コードにより区別されて一箇所に記憶された情報を、認証プログラムを用いて店舗ごとに区別して登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニュー／通常メニューの情報を検索閲覧でき、また携帯電話やパソコンなどＷｅｂ機能を有する情報端末を用いてＷｅｂページ上からサーバーのＣＧＩプログラムを呼び出しサーバーに記憶された店舗情報を登録・編集・削除でき、不特定多数の人に日替わりメニュー／通常メニューとともに店舗情報も提供／検索閲覧できる機能を有することを特徴とするインターネットシステム。
【請求項５】
請求項２に記載のインターネットシステムに加えて、複数飲食店の通常メニューをサーバー上の一テーブルに集めて記憶し、この通常メニューに対して携帯電話やパソコンなどＷｅｂ機能を有する情報端末を用いてＷｅｂページ上からサーバーのＣＧＩプログラムを呼び出し登録・編集・削除でき、不特定多数の人側からは携帯電話やパソコンなどＷｅｂ機能を有する情報端末を用いてＷｅｂページ上からサーバーのＣＧＩプログラムを呼び出し通常メニューの情報を検索閲覧でき、通常メニューを検索閲覧したあとそのお店の日替わりメニューを表示させたり逆に日替わりメニューを検索閲覧させた後通常メニューを表示させることができ、かつ複数飲食店の宣伝広告をサーバー上の一テーブルに集めて記憶しこの宣伝広告に対して携帯電話やパソコンなどＷｅｂ機能を有する情報端末を用いてＷｅｂページ上からサーバーのＣＧＩプログラムを呼び出し登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニューや通常メニューを表示するとともにこのお店の宣伝広告も提供できる機能を有することを特徴とするインターネットシステム。
【請求項６】
請求項４に記載のインターネットシステムにおいて、複数飲食店の宣伝広告をサーバー上の一テーブルに集めて記憶し、この宣伝広告に対して携帯電話やパソコンなどＷｅｂ機能を有する情報端末を用いてＷｅｂページ上からサーバーのＣＧＩプログラムを呼び出し登録・編集・削除でき、不特定多数の人側からは携帯電話やパソコンなどＷｅｂ機能を有する情報端末を用いてＷｅｂページ上からサーバーのＣＧＩプログラムを呼び出し日替わりメニューや通常メニューを表示するとともにお店の宣伝広告も提供できる機能を有することを特徴とするインターネットシステム。
【発明の詳細な説明】
【０００１】
【発明が属する技術分野】
本発明は、  飲食店の日替わりメニューの情報（日替わりランチ、日替わり定食、サービスメニュー、サービスランチ、サービス定食、ランチメニューなど以下日替わりメニューで統一）、をインターネット・情報端末を利用して複数の飲食店から集め一括して記憶し、誰でも、いつでも、どこでもこの情報を検索閲覧でき、かつ日替わりメニュー情報とともに店舗情報・宣伝広告・通常メニュー情報も提供できるインターネットシステムに関するものである。
【０００２】
【従来の技術】
従来、飲食店の日替わりメニューは、飲食店店頭においては黒板・ホワイトボード・用紙などに記入して、通りがかりのお客様に知らせていた。また、インターネット上のＷｅｂページなどでは店舗ごとの情報の中の一項目に日替わりメニューが紹介されることがあった。また、グルメ情報サイトでオプションとして日替わりメニューを指定してお店を検索できるものもあった。しかし、このシステムでは日替わりメニュー以外のさまざまなお店の情報の一項目として日替わりメニューも扱える、または扱っているお店を検索できるといったもので、日替わりメニューの情報をひとつに集め検索できるというものではなかった。
【０００３】
【発明が解決しようとする課題】
本発明で解決しようとする課題は、従来飲食店店頭にまで行かなければ知ることができなかった日替わりメニューの情報を複数飲食店からひとつに集め、いつでも、誰でも、どこででも検索して知ることができるようにすることである。また、飲食店に対しては日替わりメニューの情報をサーバー上の記憶領域に登録・編集・削除できる方法を提供する。また、日替わりメニューの情報とともに店舗情報、お店の宣伝広告、通常メニューの情報も提供可能にする。
【０００４】
【課題を解決するための手段】
本発明は、情報端末として携帯電話やパソコンを利用し、インターネットを通じてサーバー上のＣＧＩプログラムを呼び出しサーバー上の一テーブルに複数飲食店の日替わりメニューデータを記憶し、このデータに対してＣＧＩプログラムにより登録・削除・編集・検索する方法を提供することを最も主要な特徴とし、また店舗情報、通常メニュー、宣伝広告に関しては各データを一テーブルとしてサーバー上に記憶し、店舗コードを外部キーとして各データを結びつけＣＧＩプログラムにより情報処理し提供できることをもっとも主要な特徴とする。
【０００５】
【発明の実施の形態】
以下、本発明における実施形態について図面を参照して説明する。図１は、本実施形態の構成を示すブロック図である。この図において、符号１０１は本システムにおける情報処理を担うサーバーである。このサーバーには本システムで使用するデータが集まったデータ群１０１ａがあり、特に日替わりメニューのデータに関してはひとつに集めた日替わりメニューデータ１０１ａ’がある。この日替わりメニューデータ１０１ａ’あるいはデータ群１０１ａを処理するのに、登録・編集ＣＧＩプログラム群１０１ｂと検索ＣＧＩプログラム群１０１ｃとがある。複数飲食店の担当者（図１左）は携帯電話／パソコン１０２ａ〜１０２ｃを利用してＷｅｂページ上から登録・編集ＣＧＩプログラム群１０１ｂを呼び出して、日替わりメニューの情報を日替わりメニューデータ１０１ａ’に登録・編集する。また、検索利用者（図１右）は携帯電話／パソコン１０３ａ〜１０３ｃを利用してＷｅｂページ上から検索ＣＧＩプログラム群１０１ｃを呼び出して日替わりメニューデータ１０１ａ’あるいはデータ群１０１ａから必要な情報を検索抽出する。
【０００６】
図２にデータ群（図１の１０１ａ）の詳細を記す。このデータ群について説明する。飲食店の担当者は本システムにログインするときに認証情報を入力する。たとえば認証情報入力ページ図３の３０１のようにユーザーＩＤやパスワードを入力し送信する。そうすると登録・編集ＣＧＩプログラム群１０１ｂの中の認証プログラムが呼び出される。そして、認証データ図２の２０１の認証情報２０１ｂから認証の適切不適切を判定し、認証が通れば入力された認証情報から店舗コード２０１ａを抽出する。店舗コードはシステムを利用している飲食店一つ一つに一意的に割り当てられたコードである。以降本システムではこの店舗コードを用いて飲食店を区別する。たとえば店舗名などの店舗情報が必要なときには店舗情報２０３の店舗コード２０３ａを探索し該当する店舗コードの店舗情報２０３ｂを抽出すればよい。（店舗情報には店舗名、住所、電話番号などの情報がある）また、日替わりメニュー情報を登録するときには日替わりメニューデータ２０２に日替わりメニューデータ２０２ｂとともに店舗コード２０２ａを書き込めばどの店の日替わりメニューか区別して記録することができる。（日替わりメニュー情報にはメニュー名・メニュー内容・価格・日付などがある）登録するときだけでなく日替わりメニューデータを編集・削除するときも同じである。店舗コードのＣＧＩプログラム間の受け渡しにはＨＴＭＬフォームの隠しフィールドを用いる。
【０００７】
図３の画面例を用いて本システムの基本となる実施例を説明する。認証情報入力ページ３０１にユーザーＩＤとパスワードを入力して認証が通ると店舗ごとの登録・編集ページ３０２が表示される。認証は認証データ２０１を用いて判定する。このとき得られた店舗コードは店舗ごとの登録・編集ページ３０２に隠しフィールドとして埋め込まれる。このページの上部に店舗名が表示されているが（フレンドラー藤井寺店）、これは店舗情報２０３から店舗コード２０３ａを探索し店舗情報２０３ｂの店舗名を抽出したものである。店舗ごとの登録・編集ページ３０２で新規登録ボタン３０２ａを押すと日替わりメニュー新規登録ページ３０３が表示される。このページにも隠しフィールドとして店舗コードが埋め込まれている。このページで日替わりメニュー情報を入力して送信すると日替わりメニューデータ２０２に店舗コード２０２ａとともに日替わりメニューデータ２０２ｂが記録される。店舗ごとの登録・編集ページ３０２で一覧形式ボタン３０２ｂを押すと日替わりメニュー一覧表示ページ３０４が表示される。このページの日替わりメニューデータは日替わりメニューデータ２０２において店舗コード２０２ａが一致する日替わりメニューデータ２０２ｂを複数抽出して表示させればよい。この日替わりメニュー一覧表示ページ３０４で変更ボタン３０４ａを押せば日替わりメニュー変更ページ３０５が表示され変更することができる。この変更も日替わりメニューデータ２０２に反映される。また、削除ボタン３０４ｂを押せば該当する日替わりメニューデータを削除することができる。
【０００８】
検索利用者（図１の１０３ａ〜１０３ｃ）が検索閲覧する場合について説明する。店舗番号から検索する場合は、店舗検索ページ図４の４０１を表示させてフォームの店舗番号入力ボックス４０１ａに店舗番号を入力して、検索ＣＧＩプログラム群１０１ｃに店舗番号を送信して検索抽出処理を行う。（図４の４０１において店舗番号とは店舗コードのことである）このとき日替わりメニューデータ２０２の店舗コード２０２ａを探索して日替わりメニューデータ２０２ｂを抽出する。抽出した結果は検索結果４０３、日替わりメニュー詳細表示４０４のように表示される。店舗名称から検索する場合は店舗検索ページ４０１の店舗名を入力する入力ボックス４０１ｂに店舗名を入力し検索を行う。まず店舗情報２０３ｂから一致する店舗名称のレコードから店舗コード２０３ａを抽出し、次にその店舗コードで日替わりメニューデータ２０２の店舗コード２０２ａを探索し日替わりメニューデータ２０２ｂを抽出する。また日替わりメニューの検索後店舗コードを用いて店舗情報２０３から店舗情報も引き出すことができる。店舗情報の表示例を店舗情報４０５に記す。
【０００９】
詳細に条件を入力して検索することもできる。詳細に検索する場合のフォームを詳細検索ページ４０２に記す。詳細条件を入力して検索する場合は、店舗情報２０３や日替わりメニューデータ２０２をともに組み合わせて検索抽出を行えばよい。
【００１０】
以上の説明において、図２における三つのテーブル（２０１〜２０３）を用い、店舗コードを介することによって利用者に日替わりメニューや店舗情報の情報処理をすることができ、必要なサービスを提供することができることを示した。この日替わりメニューデータ２０２と店舗情報２０３は正規化してあるが、正規化せずに一テーブル（正規化しない例２０４）として扱うことも可能である。
【００１１】
以上の説明において本発明のもっとも基本となる方式を説明した。次に本発明の応用について説明する。図５は日替わりメニューデータに通常メニューのデータを加えて一テーブルとしたものである。メニューデータ５０２には、日替わりメニューデータと通常メニューデータ５０２ｃが混在しており、日替わり／通常識別コード５０２ｂにより区別されている。日替わりメニューの情報処理が必要な場合は日替わりの識別コードを見ればよいし、通常メニューの情報処理が必要な場合は通常の識別コードを見ればよい。
【００１２】
図６は日替わりメニューと店舗情報以外の情報も提供できるようにしたものである。６０１〜６０３は図２と同じである。これに別テーブルとして通常メニュー６０４、宣伝広告６０５、その他の情報６０６を付加している。これらの情報には店舗コードも付加されているため、日替わりメニューや店舗情報とともにお店の宣伝広告を表示させたり、お店を検索したあと日替わりメニューや通常メニューを表示させたり、その他の情報も表示させることができる。また、通常メニューを検索閲覧とともに日替わりメニューや宣伝広告や店舗情報を表示させることもできる
【００１３】
図７の７０１〜７０３は図５の日替わりメニュー通常メニュー同一テーブル方式に宣伝広告７０４、その他の情報７０５を扱えるようにしたものである。これにより日替わりメニュー通常メニュー同一テーブル方式図５でもお店の宣伝広告やその他の情報も扱えるようになる。
【００１４】
以上本発明においてはシステムの全体像とデータ構造とデータの扱い方について説明した。これらデータをどのように扱いどのようにユーザーに提示するかは本発明においては規定しない。重要な点は複数飲食店の日替わりメニューのデータをサーバー上の一箇所に集めパソコンや携帯電話を使いインターネットを通じて登録・編集・検索閲覧を可能にすることと、店舗コードを用いて日替わりメニューとともにに店舗情報、宣伝広告、通常メニューが扱えるということである。
【００１５】
なお、詳しく説明では述べなかったが、店舗情報、宣伝広告、通常メニューも登録・編集・削除・検索できる機能も本システムには必要である。
【発明の効果】
本発明は従来飲食店店頭まで行かなければ知ることができなかった日替わりメニューの情報を、携帯電話やパソコンを使いつでも、どこでも、誰でも知ることができ、わざわざ飲食店店頭まで確認しに行く必要がなくなる。また、飲食店経営者にとっては遠隔地にいる不特定多数の人に日替わりメニューを知っていただくことができ、売り上げを伸ばすことができる。また、日替わりメニューとともに店舗情報も知らせることができ、また、宣伝広告、通常メニューも知らせることができ、飲食店にとっても利益になり、消費者にとっても便利なものである。特に日替わりメニューは安くて、ボリュームがあり、日によって変わるので注目度が高く、携帯電話やパソコンで知りたがるひとは多く、注目度の高い日替わりメニューを呼び水として店舗情報や宣伝広告を提供できることは飲食店経営者にとっては大きな売り上げアップにつながる。
【図面の簡単な説明】
【図１】本発明における実施形態の概略構成を示すブロック図である。
【図２】本発明を実施するうえで基本となる処理を行うためのデータ構造を示したブロック図である。
【図３】飲食店側が日替わりメニューを登録・編集する画面を示した図である。
【図４】検索利用者側が検索を行うときの画面を示したブロック図である。
【図５】日替わりメニューと通常メニューを同一テーブルとした場合のデータ構造を示すブロック図である。
【図６】本発明の基本的な処理に通常メニューや飲食店の宣伝広告も扱えるようにした場合のデータ構造を示すブロック図である。
【図７】日替わりメニューと通常メニューを同一テーブルとした場合の方式に宣伝広告も扱えるようにした場合のデータ構造を示すブロック図である。
【符号の説明】
１０１    サーバー
１０２    飲食店担当者の携帯電話／パソコン
１０３    検索利用者の携帯電話／パソコン
【図１】
2004265294.tif 000003
【図２】
2004265294.tif 000004
【図３】
2004265294.tif 000005
【図４】
2004265294.tif 000006
【図５】
2004265294.tif 000007
【図６】
2004265294.tif 000008
【図７】
2004265294.tif 000009